(57)【特許請求の範囲】
【請求項１】
発光モジュールと筐体とを備える照明用光源であって、
前記筐体は、第一筒体と、前記第一筒体に挿入され、前記第一筒体に対して軸方向の移動が可能に配置された第二筒体とを有し、
前記第一筒体は、前記第二筒体の最大外径よりも小さい内径を形成する小径部であって、前記第二筒体の最大外径を形成する部分と前記小径部とが当接するように、前記第一筒体が前記第二筒体に対して軸回りに回動されることで、前記第二筒体を径方向に挟持する小径部を有し、
前記第二筒体は、前記小径部によって前記径方向に挟持されることで、前記第一筒体に対する位置が固定される
照明用光源。
【請求項２】
前記小径部は、前記第一筒体の軸方向に延在し、前記軸方向の任意の位置において、前記第二筒体を前記径方向に狭持する
請求項１記載の照明用光源。
【請求項３】
前記小径部は、前記第一筒体の内周において対向する位置に配置された一対の当接部を有し、前記一対の当接部によって前記第二筒体を挟持する
請求項１または２記載の照明用光源。
【請求項４】
前記第一筒体の内周の、前記軸方向に垂直な断面は楕円形状であり、
前記第二筒体の外周の、前記軸方向に垂直な断面は楕円形状であり、
前記小径部における前記一対の当接部は、前記第一筒体の内周における短軸の両端に位置する部分である
請求項３記載の照明用光源。
【請求項５】
前記小径部は、前記第二筒体を挟持した状態において、前記第二筒体の外周の一部と嵌り合う嵌合部を有する
請求項１〜４のいずれか１項に記載の照明用光源。
【請求項６】
前記第二筒体は、前記外周に配置され、前記嵌合部と嵌り合う１以上の突出部であって、前記第二筒体が前記小径部に挟持された状態において、前記小径部からの押圧力を受ける部分である１以上の突出部を有する
請求項５記載の照明用光源。
【請求項７】
前記第一筒体はさらに、前記軸方向における前記小径部の両側のうちの一方の側に配置され、前記小径部における内径よりも小さな内径を形成する抜け止め部を備え、
前記抜け止め部が、前記第二筒体の前記１以上の突出部と当接することで、前記第二筒体が前記第一筒体から抜け出ることが防止される
請求項６記載の照明用光源。
【請求項８】
さらに、
前記筐体に収容された、前記発光モジュールを発光させるための駆動回路と、
前記第二筒体の前記第一筒体から露出した端部に配置された口金であって、外部から受けた電力を前記駆動回路に供給する口金と
を備える請求項１〜７のいずれか１項に記載の照明用光源。
【発明の詳細な説明】
【技術分野】
【０００１】
本発明は、発光ダイオード（ＬＥＤ：Ｌｉｇｈｔ  Ｅｍｉｔｔｉｎｇ  Ｄｉｏｄｅ）等の発光素子を有する発光モジュールを備える照明用光源に関する。
【背景技術】
【０００２】
ＬＥＤ等の半導体発光素子は、小型、高効率および長寿命であることから、様々な製品の光源として採用されている。
【０００３】
例えば、従来の電球形ランプは、ＬＥＤモジュールと、ＬＥＤモジュールを覆うグローブと、ＬＥＤモジュールに電力を供給する駆動回路と、駆動回路を囲むように設けられた筐体と、電力を受電する口金とを備える。ＬＥＤモジュールは、基板と、基板上に実装された複数のＬＥＤとを備える。
【先行技術文献】
【特許文献】
【０００４】
【特許文献１】特開２００６−３１３７１７号公報
【発明の概要】
【発明が解決しようとする課題】
【０００５】
上記の特許文献１記載の電球形ランプを含め、従来の電球形ランプは、一般に、電球形ランプの口金がねじ入れられるソケットを有する照明器具に取り付けられ、照明器具から供給される電力によって照明光を発する。そのため、ソケットから発光モジュール（例えばＬＥＤモジュール）までの距離は一定である。
【０００６】
その一方で、光源の位置を変えたいという要求があり、この要求にこたえるために、例えば、全体的な長さを変更することのできるランプも存在する。
【０００７】
このようなランプでは、例えばラッチ構造またはネジによる締結構造を用いた、長さ変更のための機構が備えられるため、全体として構造が複雑である。
【０００８】
本発明は、上記従来の課題を考慮し、簡易な構造で全体を伸縮させることができる照明用光源を提供することを目的とする。
【課題を解決するための手段】
【０００９】
上記目的を達成するために、本発明の一態様に係る照明用光源は、発光モジュールと筐体とを備える照明用光源であって、前記筐体は、第一筒体と、前記第一筒体に挿入され、前記第一筒体に対して軸方向の移動が可能に配置された第二筒体とを有し、前記第一筒体は、前記第二筒体の最大外径よりも小さい内径を形成する小径部であって、前記第二筒体の最大外径を形成する部分と前記小径部とが当接するように、前記第一筒体が前記第二筒体に対して軸回りに回動されることで、前記第二筒体を径方向に挟持する小径部を有する。
【発明の効果】
【００１０】
本発明によれば、簡易な構造で全体を伸縮させることができる照明用光源を提供することができる。
【図面の簡単な説明】
【００１１】
【図１】実施の形態に係る電球形ランプの外観を示す斜視図
【図２】実施の形態に係る電球形ランプの分解斜視図
【図３】実施の形態に係る電球形ランプが取り付けられた照明器具の断面概要を示す図
【図４】実施の形態に係る筐体の分解斜視図
【図５Ａ】実施の形態に係る第一筒体の下面図
【図５Ｂ】実施の形態に係る第二筒体の下面図
【図６】実施の形態に係る第一筒体の当接部および抜け止め部の外観を示す斜視図
【図７】実施の形態に係る筐体の下面図
【図８】第一筒体と第二筒体とが組み合わされた状態における筐体の内部を示す斜視図
【図９Ａ】第一筒体と第二筒体との相対的な回転位置の第１の例を示す図
【図９Ｂ】第一筒体と第二筒体との相対的な回転位置の第２の例を示す図
【図１０】実施の形態の変形例１に係る嵌合部の形状を示す下面図
【図１１】実施の形態の変形例２に係る当接部および突出部の形状を示す下面図
【図１２】実施の形態の変形例３に係る第一筒体および第二筒体の断面形状およびこれらの関係を示す図
【発明を実施するための形態】
【００１２】
以下、本発明の実施の形態に係る電球形ランプについて、図面を参照しながら説明する。なお、各図は、模式図であり、必ずしも厳密に図示したものではない。
【００１３】
また、以下で説明する実施の形態およびその変形例は、いずれも本発明の一具体例を示すものである。以下の実施の形態およびその変形例で示される数値、形状、材料、構成要素、構成要素の配置位置および接続形態などは一例であり、本発明を限定する主旨ではない。また、以下の実施の形態およびその変形例における構成要素のうち、最上位概念を示す独立請求項に記載されていない構成要素については、任意の構成要素として説明される。
【００１４】
以下の実施の形態およびその変形例では、照明用光源の一例として、電球形ランプ（ＬＥＤ電球）について説明する。
【００１５】
［電球形ランプの全体構成］
まず、本実施の形態に係る電球形ランプ１の全体構成について、図１〜図３を用いて説明する。
【００１６】
図１は、実施の形態に係る電球形ランプ１の外観を示す斜視図である。
【００１７】
図２は、実施の形態に係る電球形ランプ１の分解斜視図である。
【００１８】
図３は、実施の形態に係る電球形ランプ１が取り付けられた照明器具の断面概要を示す図である。
【００１９】
なお、図２において、紙面上下方向に沿って描かれた一点鎖線は電球形ランプ１のランプ軸Ｊ（中心軸）を示している。ランプ軸Ｊとは、電球形ランプ１を照明器具のソケットに取り付ける際の回転中心となる軸であり、本実施の形態では口金９０の回転軸と一致している。
【００２０】
また、図２では、駆動回路４０が備える電子部品および駆動回路４０に接続されたリード線等の要素の図示は省略されている。
【００２１】
また、図３では、照明器具の構造の概要が分かり易いように、照明器具は断面で図示されており、かつ、電球形ランプ１は側面で図示されている。
【００２２】
図１〜図３に示すように、本実施の形態に係る電球形ランプ１は、発光モジュール１０と筐体５０とを備える。
【００２３】
発光モジュール１０は、本実施の形態において筐体５０に収容された駆動回路４０から供給される電力によって発光する装置であり、基板１１と、基板１１に実装された複数の発光素子１２とを備える。基板１１は、本実施の形態では平面視において略円形の板状基板であり、第一筒体６０の開口部に配置されている。
【００２４】
基板１１の種類としては、金属ベース基板、または、アルミナ等からなるセラミックス基板等が例示される。
【００２５】
本実施の形態では、基板１１の片面上に複数個（本実施の形態では１８個）の発光素子１２が実装されている。
【００２６】
本実施の形態では、発光素子１２として、表面実装（ＳＭＤ：Ｓｕｒｆａｃｅ  Ｍｏｕｎｔ  Ｄｅｖｉｃｅ）型ＬＥＤ素子が採用されている。
【００２７】
ＳＭＤ型ＬＥＤ素子である発光素子１２は、図２に示すように、容器１２ａと、容器１２ａ内に実装されたＬＥＤチップ１２ｂと、ＬＥＤチップ１２ｂからの光の波長を変換する波長変換材を含む封止部材１２ｃとを有する。
【００２８】
本実施の形態では、ＬＥＤチップ１２ｂとして、例えば青色光を発する青色ＬＥＤチップが採用される。青色ＬＥＤチップとしては、例えばＩｎＧａＮ系の材料によって構成された、中心波長が４４０ｎｍ〜４７０ｎｍの窒化ガリウム系の半導体発光素子が採用される。この場合、白色光を得るために、例えばイットリウム・アルミニウム・ガーネット（ＹＡＧ）系の黄色蛍光体粒子が波長変換材として採用される。
【００２９】
駆動回路４０は、図示しない一対のリード線によって接続された口金９０から交流電力を受け取って直流電力に変換し、変換後の直流電力を図示しない一対のリードを介して発光モジュール１０に供給する。駆動回路４０は、回路基板と、当該回路基板に実装された複数の電子部品（図示せず）とを有している。
【００３０】
駆動回路４０は、本実施の形態では、第二筒体７０内に収容されており、ねじ止め、接着、または係合などにより第二筒体７０に固定されている。なお、本実施の形態では、駆動回路４０は、回路基板の主面がランプ軸Ｊと平行する姿勢で配置されているが、駆動回路４０が配置される姿勢に特に限定はない。
【００３１】
また、駆動回路４０は、交流電力を直流電力に変換する機能を持たなくてもよい。例えば照明器具から電球形ランプ１に直接直流電力が供給される場合、駆動回路４０は、口金９０から供給される直流電力を、発光モジュール１０に適した特性の直流電力に調整するための回路を有すればよい。
【００３２】
また、電球形ランプ１に、口金９０を介して発光モジュール１０に適した特性の直流電力が供給される場合、電球形ランプ１は、駆動回路４０を備えなくてもよい。この場合、口金９０と発光モジュール１０とが一対のリード線によって接続される。
【００３３】
本実施の形態における筐体５０は、第一筒体６０と、第一筒体６０に挿入され、第一筒体６０に対して軸方向の移動が可能に配置された第二筒体７０とを有する。第一筒体６０および第二筒体７０の素材は、例えば、ポリブチレンテレフタレート（ＰＢＴ）等の絶縁性樹脂である。
【００３４】
なお、本実施の形態において、ともに円筒形状である第一筒体６０および第二筒体７０それぞれの軸方向は一致し、いずれもＺ軸に平行な方向である。そのため、第一筒体６０および第二筒体７０の組み合わせによって構成される筐体５０の軸方向もＺ軸に平行な方向である。
【００３５】
第一筒体６０は、第二筒体７０の最大外径よりも小さい内径を形成する小径部６１を有する。小径部６１は、第二筒体７０の最大外径を形成する部分と小径部６１とが当接するように第一筒体６０が第二筒体７０に対して軸回りに回動されることで第二筒体７０を径方向に挟持する。
【００３６】
つまり、小径部６１は、第二筒体７０を挟持していない状態において、第二筒体７０の最大外径よりも小さい内径を形成する部分である。
【００３７】
小径部６１が、第二筒体７０を径方向に挟持することで、第一筒体６０および第二筒体７０の軸方向の相対的な移動が規制される。
【００３８】
本実施の形態では、小径部６１は、一対の当接部６２を有し、第二筒体７０の最大外径を形成する大径部７１を径方向に挟持する。大径部７１は、第二筒体７０の外周に配置された一対の突出部７２を有する。一対の突出部７２は、第二筒体７０の外周の一部であって、第二筒体７０が小径部６１に挟持された状態において、小径部６１から径方向かつ内側への押圧力を受ける部分である。
【００３９】
筐体５０は、上記構成を有することで、筐体５０の軸方向の長さの調節および調節後の長さの安定的な維持を可能としている。筐体５０の詳細については、図４〜図９Ｂを用いて後述する。
【００４０】
なお、上記のように筐体５０は軸方向に伸縮し、また、第一筒体６０が第二筒体７０に対して軸回りに回動可能である。そのため、第二筒体７０に固定されている駆動回路４０と、発光モジュール１０とは、これら伸縮または回動の動作によって電気的な接続が断たれないように、例えば十分な長さのリード線で接続されている。
【００４１】
また、本実施の形態では、例えば図２に示すように、第一筒体６０の、発光モジュール１０が配置された側の端部に、内面に反射板を有するカバー８０が取り付けられている。カバー８０の、発光モジュール１０とは反対側の開口には、光透過性を有する光学部材８１が配置されている。
【００４２】
光学部材８１は、例えば、発光モジュール１０から放出される光を拡散させて透過させる部材である。光学部材８１が有する光拡散機能は、例えば、光学部材８１を形成する樹脂に含まれるシリカまたは炭酸カルシウム等の光拡散材によって実現される。また、光学部材８１を形成する樹脂またはガラスの内面または外面に、細かな凹凸を形成することで光拡散機能を実現してもよい。
【００４３】
なお、光学部材８１が光拡散機能を持つことは必須ではなく、光学部材８１は、外部から発光モジュール１０を視認することができる程度の透明性を有していてもよい。
【００４４】
口金９０は、外部から受けた電力を駆動回路４０に供給する。口金９０には、例えばＡＣ１００Ｖの商用電源から交流電力が供給される。
【００４５】
口金９０は、金属製の有底筒体形状ある。本実施の形態では、口金９０は、第二筒体７０の第一筒体６０から露出した端部に配置されている。例えば、第二筒体７０の当該端部に、外周面にネジ山が形成された取付部（図示せず）が設けられており、口金９０の内部に、この取付部がねじ入れられることで、第二筒体７０に口金９０が取り付けられる。口金９０の種類は、特に限定されるものではないが、本実施の形態では、ねじ込み型のエジソンタイプ（Ｅ型）の口金を用いている。口金９０として、例えば、Ｅ２６形またはＥ１７形、あるいはＥ１６形等の口金が採用される。
【００４６】
上記構成を有する電球形ランプ１は、図３に示すように、例えば建物の天井２００に埋設される、埋込型の照明器具３に取り付けられる。つまり、天井側から下方（廊下または壁等）に照明光を放出するダウンライトとして、電球形ランプ１を用いることができる。
【００４７】
照明器具３は、電球形ランプ１を収容する空間を形成する本体部５と、電源に接続されたソケット４とを備える。ソケット４は、電球形ランプ１の口金９０がねじ入れられることで、口金９０と電気的および機械的に接続し、口金９０に、例えば商用電源からの交流電力を供給する。
【００４８】
ここで、ソケット４は、Ｅ２６形またはＥ１７形等のエジソンタイプ（Ｅ型）の口金を取り付け可能なソケットであり、照明器具３には、一般的な電球形ランプ等の電球形ランプが取り付け可能である。
【００４９】
つまり、本実施の形態に係る電球形ランプ１は、一般的な電球形ランプが取り付け可能な一般的な照明器具を利用して、照明光を提供することができる装置である。
【００５０】
また、図３に示す照明器具３を含め、一般に、埋込型照明器具は、本体部の深さ（図３におけるＺ軸方向の幅）は様々である。従って、電球形ランプを埋込型照明器具に取り付けた場合、電球形ランプの先端（グローブの頂点）の位置が、例えば天井面に対してどの位置にあるかは、埋込型照明器具の種類によって異なる。
【００５１】
しかし、本実施の形態に係る電球形ランプ１は、伸縮可能な筐体５０を有し、かつ、ガタつき等が抑制された安定的な状態を維持することが可能である。
【００５２】
従って、例えば図３に示すように、電球形ランプ１の光照射面（光学部材８１の外面）を、できるだけ天井２００に近づくように、筐体５０の長さを調節することが可能である。
【００５３】
以下、上記特徴を有する筐体５０の詳細について、図４〜図９Ｂを用いて説明する。
【００５４】
［筐体の詳細］
図４は、実施の形態に係る筐体５０の分解斜視図である。
【００５５】
図５Ａは、実施の形態に係る第一筒体６０の下面図であり、図５Ｂは、実施の形態に係る第二筒体７０の下面図である。具体的には、図５Ａおよび図５Ｂは、図４における下方（Ｚ軸マイナス側、以下同じ）から見た場合の、第一筒体６０および第二筒体７０の外観を示している。
【００５６】
図６は、実施の形態に係る第一筒体６０の当接部６２および抜け止め部６４の外観を示す斜視図である。具体的には、図６では、当接部６２および抜け止め部６４を明確に示すために、第一筒体６０を軸方向に沿って約半分に切断した状態を図示している。
【００５７】
図７は、実施の形態に係る筐体５０の下面図である。具体的には、図７は、図４における下方から見た場合の、第一筒体６０と第二筒体７０とを組み合わせた状態における筐体５０の外観を示している。
【００５８】
図８は、第一筒体６０と第二筒体７０とが組み合わされた状態における筐体５０の内部を示す斜視図である。具体的には、図８では、筐体５０を軸方向に沿って約半分に切断した状態を図示している。
【００５９】
図４に示すように、第二筒体７０は、第一筒体６０の、抜け止め部６４が配置されていない側の開口から挿入される。
【００６０】
図５Ａに示されるように、第一筒体６０は、小径部６１を有し、小径部６１は、内径Ｄ１の筒体の内面において対向する位置に配置された一対の当接部６２を有する。これら当接部６２によって形成される内径Ｄｓは、第二筒体７０の最大外径よりも小さい。
【００６１】
具体的には、図５Ｂに示されるように、第二筒体７０は、大径部７１を有し、大径部７１は、外径がＤ２（Ｄ２＜Ｄ１）の外周に配置された一対の突出部７２を有する。これら突出部７２によって第二筒体７０の最大外径Ｄｘが形成されており、第一筒体６０における内径Ｄｓは、第二筒体７０の最大外径Ｄｘよりも小さい。
【００６２】
なお、本実施の形態では、小径部６１は、第二筒体７０の外周の一部と嵌り合う嵌合部６２ａを有する。具体的には、一対の当接部６２のそれぞれに凹状に形成された嵌合部６２ａが設けられており、小径部６１が第二筒体７０を挟持する状態において、嵌合部６２ａは第二筒体７０の突出部７２と嵌め合わされる。嵌合部６２ａと突出部７２との嵌合については、図９Ｂを用いて後述する。
【００６３】
また、第二筒体７０の最大外径Ｄｘは、第一筒体６０の内径Ｄ１以下である。具体的には、第二筒体７０の最大外径Ｄｘが、第一筒体６０の内径Ｄ１より小さくなるように、第一筒体６０および第二筒体７０が設計される。
【００６４】
そのため、図４に示すように第二筒体７０が第一筒体６０に挿入されることで、第二筒体７０と第一筒体６０とが組み合わされた場合、図７に示すように、第一筒体６０と第二筒体７０とは相対的に軸回りに回動することが可能である。
【００６５】
また、図８に示すように、軸方向についても第一筒体６０と第二筒体７０とは相対的に軸方向の移動が可能である。また、第一筒体６０は、軸方向における小径部６１の両側のうちの一方の側に配置され、小径部６１における内径よりも小さな内径を形成する抜け止め部６４を備える（図１、図５Ａおよび図８参照）。具体的には、本実施の形態では、第一筒体６０に発光モジュール１０が配置されており、抜け止め部６４は、軸方向における小径部６１の両側のうちの発光モジュール１０とは反対側に配置されている。
【００６６】
本実施の形態では、この抜け止め部６４が、第二筒体７０の大径部７１（一対の突出部７２）と当接することで、第二筒体７０が第一筒体６０から抜け出ることが防止される。
【００６７】
つまり、第二筒体７０は、大径部７１が抜け止め部６４と当接しない範囲において第一筒体６０に対して軸方向に移動可能であり、これにより、筐体５０の軸方向の長さが無段階で変更可能である。
【００６８】
さらに、第二筒体７０が、第一筒体６０に対していずれかの位置（軸方向の位置）にある場合に、第二筒体７０を第一筒体６０に対して軸回りに、９０°以下の角度回動させることで、第二筒体７０の、第一筒体６０に対する位置の固定が可能である。
【００６９】
図９Ａは、第一筒体６０と第二筒体７０との相対的な回転位置の第１の例を示す図であり、図９Ｂは、第一筒体６０と第二筒体７０との相対的な回転位置の第２の例を示す図である。
【００７０】
例えば図９Ａに示すように、第二筒体７０を軸回りに回動しないように固定し、第一筒体６０を図９Ａにおける右回りに回動させた場合、第一筒体６０の小径部６１が有する一対の当接部６２のそれぞれは、第二筒体７０の突出部７２に当接する。
【００７１】
この状態から、第一筒体６０をわずかに右回りに回動させた場合、第一筒体６０は、一対の当接部６２と、一対の突出部７２との間の摩擦力により、第二筒体７０に対して仮固定（仮留め）された状態となる。
【００７２】
この仮固定の状態を利用した、電球形ランプ１の照明器具３（図３参照）に対する取り付け手順の一例を以下に説明する。
【００７３】
例えば、電球形ランプ１を照明器具３に取り付ける場合、一対の突出部７２が抜け止め部６４に当接するまで第二筒体７０を第一筒体６０から引き出した状態で、第一筒体６０を第二筒体７０に対して仮固定する。さらに、その状態で、口金９０を、照明器具３のソケット４にねじ入れるように、第一筒体６０を右回りに回動させる。なお、第一筒体６０を回動させる場合、具体的には、第一筒体６０に取り付けられたカバー８０を回動させる。
【００７４】
この場合、第一筒体６０の一対の当接部６２のそれぞれは、第二筒体７０の突出部７２に当接した状態であり、これにより、第一筒体６０の回動に伴って口金９０が取り付けられた第二筒体７０も右回りに回動する。その結果、口金９０のソケット４に対するねじ入れが完了またはほぼ完了する。
【００７５】
その後、電球形ランプ１のカバー８０が照明器具３の本体部５の開口周縁に当接するまで、カバー８０を照明器具３（天井２００）の方向に押し込む。これにより、第二筒体７０に対して仮固定されていた第一筒体６０が軸方向に移動し、筐体５０の軸方向の長さ（電球形ランプ１の軸方向の長さ）が、天井２００に埋設された照明器具３に適した長さとなる。
【００７６】
さらに、この状態で、第一筒体６０を右回りに回動させる。この場合、口金９０がソケット４によって回動が規制された状態であるため第二筒体７０の回動は規制され、これにより、第一筒体６０は、第二筒体７０に対して右回りに回動する。
【００７７】
これにより、第一筒体６０および第二筒体７０の少なくとも一部が弾性変形または塑性変形し、例えば図９Ｂに示すように、第一筒体６０の当接部６２が第二筒体７０を径方向に挟持した状態となる。つまり、第一筒体６０が第二筒体７０に対して本固定された状態となる。その結果、第二筒体７０の第一筒体６０に対する軸方向の移動が規制され、筐体５０の長さは安定的に維持される。
【００７８】
また、第二筒体７０が、第一筒体６０の内面に対して径方向に突っ張るように存在するため、第一筒体６０の第二筒体７０に対するガタつきも抑制される。これにより、例えば風等によって第一筒体６０がガタつくことで生じる異音の発生が抑制される。
【００７９】
また、本実施の形態では、第二筒体７０は、外周に配置され、嵌合部６２ａと嵌り合う１以上の突出部７２であって、第二筒体７０が小径部６１に挟持された状態において、小径部６１からの押圧力を受ける部分である１以上の突出部７２を有する。より詳細には、図９Ｂに示すように、第二筒体７０の大径部７１が有する一対の突出部７２のそれぞれが、第一筒体６０の当接部６２が有する嵌合部６２ａと嵌り合う。
【００８０】
これにより、例えば、第一筒体６０を第二筒体７０に対して本固定させるために第一筒体６０を回動させる場合において、第一筒体６０が過剰に回動することが抑制される。つまり、突出部７２および嵌合部６２ａが、第一筒体６０の第二筒体７０に対する本固定のための回動角の目安となり、かつ、回動角を規制する部位として機能する。なお、突出部７２は少なくとも１つあればよい。つまり、第二筒体７０が突出部７２を１つのみ有する場合であっても、１つの突出部７２が嵌合部６２ａと嵌り合うことで、例えば第一筒体６０の回動角を規制することが可能である。
【００８１】
このように本実施の形態に係る電球形ランプ１は、発光モジュール１０を収容する筐体５０を備え、筐体５０は、外側の第一筒体６０と内側の第二筒体７０とを有し、第一筒体６０と第二筒体７０とは軸方向の相対的な移動が可能である。
【００８２】
また、第一筒体６０は小径部６１を有し、第一筒体６０が第二筒体７０に対して軸回りに回動されることで、小径部６１が第二筒体７０を径方向に挟持する状態となる。このときの回動角は９０°以下である。
【００８３】
この構成により、電球形ランプ１では、筐体５０の軸方向の長さを無段階に変更することが可能であり、かつ、変更後の長さの安定的な維持が可能である。また、この特徴は、電球形ランプ１の筐体５０が有する第一筒体６０と第二筒体７０との構造上の関係によって生み出されており、当該特徴を生むための複雑な機構は不要である。つまり、電球形ランプ１では、第一筒体６０および第二筒体７０以外の部材を用いずに、筐体５０の軸方向の長さの調節および調節後の固定を行うことができる。
【００８４】
ここで、筐体５０の長さの変更後の固定を、例えば筐体５０の側面からのネジ止めによって行う場合を想定する。この想定下において、電球形ランプ１を照明器具３（図４参照）に取り付ける場合、電球形ランプ１を照明器具３に取り付けて筐体５０の長さを調節した後に、一旦、電球形ランプ１を照明器具３から取り外してネジを回す必要がある。
【００８５】
しかしながら、本実施の形態に係る電球形ランプ１では、筐体５０の長さの変更後の固定は、第一筒体６０を第二筒体７０に対して回動させることで行われる。そのため、上述のように、筐体５０の長さの変更後に、一旦、照明器具３から電球形ランプ１を取り外す必要がない。つまり、筐体５０の長さ調節および調節後の長さの固定を、電球形ランプ１の照明器具３への取り付け作業の流れの中で行うことができる。
【００８６】
以上のように、本実施の形態に係る電球形ランプ１は、簡易な構造で全体を伸縮させることができる照明用光源である。
【００８７】
また本実施の形態に係る電球形ランプ１において、小径部６１は一対の当接部６２を有し、一対の当接部６２によって第二筒体７０を挟持する。そのため、例えば、第一筒体６０の第二筒体７０に対する固定をより確実に行わせることができる。また、例えば、一対の当接部６２それぞれのサイズ等を変更することで、第一筒体６０の外形を変えずに、第一筒体６０の第二筒体７０に対する固定力を調整することが可能である。
【００８８】
また、電球形ランプ１は、筐体５０に収容された、発光モジュール１０を発光させるための駆動回路４０と、第二筒体７０の第一筒体６０から露出した端部に配置された口金９０であって、外部から受けた電力を駆動回路４０に供給する口金９０とを備える。口金９０としては、例えば一般家庭で用いられる電球形ランプと共通するＥ２６形等の一般的な口金を採用することができる。
【００８９】
そのため、例えば、一般の住宅の備えられた照明器具に、電球形ランプ１を取り付けることが可能であり、かつ、全長が無段階に調節可能であることで、例えば照明器具のサイズに応じた適切な長さに調節することができる。
【００９０】
なお、上記説明された、電球形ランプ１の照明器具３に対する取り付けの手順は一例であり、電球形ランプ１は、他の手順で各種の照明器具に取り付けることが可能である。例えば、第一筒体６０を第二筒体７０に対して仮固定せずに、口金９０を、照明器具のソケットにねじ入れることも可能である。
【００９１】
つまり、第一筒体６０を第二筒体７０に対して仮固定していない場合、第一筒体６０を回動させることで、第一筒体６０の一対の当接部６２のそれぞれが、第二筒体７０の突出部７２に当接した状態となる。その後は、第一筒体６０の右回りの回動に追随して第二筒体７０も右回りに回動するため、口金９０のソケットへのねじ入れは可能である。
【００９２】
この場合、口金９０をソケットにねじ入れた後に、第一筒体６０を第二筒体７０に対して軸方向に移動させ、かつ、第一筒体６０をさらに右回りに回動させる。これにより、筐体５０の長さの調節および調節後の長さの固定が完了する。
【００９３】
また、実施の形態に係る筐体５０の構造は、図１〜図９Ｂによって示される構造以外であってもよい。そこで、筐体５０についての各種の変形例を、図１０〜図１２を用いて説明する。
【００９４】
（変形例１）
上記実施の形態に係る筐体５０において、第一筒体６０の当接部６２は、第二筒体７０の外周の一部と嵌り合う嵌合部６２ａを有している。この嵌合部６２ａの形状は、図５Ａに示される形状に限定されない。
【００９５】
例えば、第一筒体６０の当接部６２は、第二筒体７０の一方向の回動を規制し、逆方向の回動を許容しやすい形状の嵌合部を有してもよい。
【００９６】
図１０は、実施の形態の変形例１に係る嵌合部６２ｂの形状を示す下面図である。
【００９７】
例えば図１０に示すように、第一筒体６０の当接部６２に、第一筒体６０の径方向に平行または略平行な内面と、径方向に対して斜めの内面とを有する嵌合部６２ｂを設ける。この場合、第二筒体７０の外周に、図１０に示すような、第二筒体７０の径方向に平行または略平行な側面を有する突出部７２ａを設ける。
【００９８】
この場合、図１０において、第一筒体６０を右回りに回動させることで、嵌合部６２ｂに突出部７２ａが嵌め合わされた場合、嵌合部６２ｂと突出部７２ａとは、第一筒体６０の回動における接線方向に直交する面同士で当接する。そのため、第一筒体６０を第二筒体７０に対してさらに右回りに回動させることは、実質的に不可能である。
【００９９】
これにより、第一筒体６０を第二筒体７０に対して本固定させるために第一筒体６０を回動させる場合において、第一筒体６０の過剰な回動がより確実に抑制される。
【０１００】
その一方で、第一筒体６０を第二筒体７０に対して左回りに回動させる場合、嵌合部６２ｂと突出部７２ａとは、第一筒体６０の回動における接線方向に近い傾きの面同士で当接している。つまり、左回りに回動させる場合において、嵌合部６２ｂと突出部７２ａとの掛かり合いが浅い状態で嵌めあわされているため、第一筒体６０を第二筒体７０に対して左回りに回動させやすい。
【０１０１】
これにより、一旦、第一筒体６０が第二筒体７０に対して本固定された状態となった後に、本固定の状態を解除することが容易化される。そのため、例えば、電球形ランプ１が取り付けられた照明器具を変更する場合などにおいて必要となる、筐体５０の長さの再調節のための作業が容易化される。
【０１０２】
（変形例２）
上記実施の形態に係る筐体５０において、第一筒体６０の当接部６２は凹状の嵌合部６２ａを有し、嵌合部６２ａに第二筒体７０の突出部７２が挿入されることで、当接部６２と突出部７２とが嵌め合わされている。しかし、凸状の当接部が、突出部に設けられた凹状の部位に挿入されることで、当接部と突出部とが嵌め合わされてもよい。
【０１０３】
図１１は、実施の形態の変形例２に係る当接部６５および突出部７５の形状を示す下面図である。
【０１０４】
例えば図１１に示すように、第一筒体６０の内周に径方向に凸状の当接部６５を設ける。また、第二筒体７０の外周に、当接部６５が挿入可能なサイズおよび形状の凹状の部位を有する突出部７５を設ける。
【０１０５】
この場合であっても、一対の当接部６５を有する小径部６１は、一対の突出部７５を有する大径部７１を径方向に挟み込むことは可能である。つまり、第一筒体６０の小径部６１は、第二筒体７０を径方向に挟持することで、第二筒体７０の軸方向の移動を規制することができる。
【０１０６】
また、当接部６５と突出部７５とが嵌め合わされるため、例えば、第一筒体６０を第二筒体７０に対して本固定させるために第一筒体６０を回動させる場合において、第一筒体６０の過剰な回動が抑制される。
【０１０７】
（変形例３）
上記実施の形態に係る筐体５０において、第一筒体６０および第二筒体７０の、軸方向に直交する断面の基本形状は円形状である。また、第一筒体６０および第二筒体７０それぞれに、径方向に凹または凸の部位を設けることで、第一筒体６０の小径部６１が第二筒体７０を径方向に挟持する構造を実現している。
【０１０８】
しかしながら、第一筒体６０および第二筒体７０の、軸方向に直交する断面の基本形状は円形状である必要はなく、例えば、当該断面が楕円であってもよい。
【０１０９】
図１２は、実施の形態の変形例３に係る第一筒体１６０および第二筒体１７０の断面形状およびこれらの関係を示す断面図である。
【０１１０】
本変形例に係る筐体５０は、第一筒体１６０と、第一筒体１６０挿入され、第一筒体１６０に対して軸方向の移動が可能に配置された第二筒体１７０とを備える。
【０１１１】
第一筒体１６０の内周の、軸方向に垂直な断面は楕円形状である。また、第二筒体１７０の外周の、軸方向に垂直な断面は楕円形状である。
【０１１２】
このような形状の第一筒体１６０は、図１２の（ａ）および（ｂ）に示すように、第二筒体１７０の最大外径よりも小さい内径を形成する小径部１６１を有する。小径部１６１は、第二筒体１７０の最大外径を形成する部分と小径部１６１とが当接するように、第一筒体１６０が第二筒体１７０に対して軸回りに回動されることで、第二筒体１５０を径方向に挟持する。
【０１１３】
具体的には、第二筒体１７０の最大外径Ｄｘは、第二筒体１７０の楕円形状である外周における長径に相当する長さである。つまり、第二筒体１７０における長軸の両端部分によって本変形例における大径部１７１が形成されている。
【０１１４】
また、小径部１６１おける一対の当接部１６２は、第一筒体１６０の楕円形状である内周における短軸Ａの両端に位置する部分である。また、小径部１６１における内径（短軸Ａの長さ）は、最大外径Ｄｘの長さよりも小さい。
【０１１５】
このような形状およびサイズを有する第一筒体１６０および第二筒体１７０において、図１２の（ａ）に示される状態では、第一筒体１６０は、第二筒体１７０に対する軸方向の移動が可能である。この状態から、第一筒体１６０を例えば右回りに回動させた場合、図１２の（ｂ）に示されるように、第一筒体１６０の小径部１６１（一対の当接部１６２）は、第二筒体１７０を径方向に挟持する状態となる。
【０１１６】
これにより、第一筒体１６０および第二筒体１７０の軸方向の相対的な移動は規制され、筐体５０の軸方向の長さは安定的に維持される。
【０１１７】
従って、電球形ランプ１が、本変形例に係る筐体５０を備える場合であっても、簡易な構造で全体を伸縮させることができる電球形ランプ１が実現される。また、第一筒体１６０および第二筒体１７０は、全体的な形状（楕円の筒形状）を利用して互いの移動を規制するため、例えば、当該規制のための凹状または凸状の部位を形成する必要ない。
【０１１８】
なお、第一筒体１６０の断面形状は、内周が楕円形状であればよく、例えば外周が円形状であってもよい。また、第二筒体１７０の断面形状は、外周が楕円形状であればよく、例えば内周が円形状であってもよい。
【０１１９】
（実施の形態の補足）
上記実施の形態において、筐体５０は、２つの筒体（第一筒体６０および第二筒体７０）を有しているとした、しかし、筐体５０は３以上の筒体を有してもよい。つまり、筐体５０は、３以上の筒体を有し、例えばテレスコピック構造によって伸縮してもよい。
【０１２０】
筐体５０は、３以上の筒体を有する場合であっても、互いに当接しあう２つの筒体が、第一筒体６０および第二筒体７０と同様の、一方が他方に挟持される構造を採用すればよい。これにより、筐体５０が３以上の筒体を有する電球形ランプ１であって、簡易な構成で伸縮を可能とすることができる電球形ランプ１を実現することも可能である。
【０１２１】
また、上記実施の形態では、第一筒体６０に発光モジュール１０が配置され、第一筒体６０に挿入される第二筒体７０に口金９０が配置されるとした。しかし、第一筒体６０に口金９０が配置され、第一筒体６０に挿入される第二筒体７０に発光モジュール１０が配置されてもよい。
【０１２２】
つまり、軸方向に相対的に移動する第二筒体７０および第一筒体６０の一方に発光モジュール１０が配置され、他方に口金９０が配置されることで、口金９０と発光モジュール１０との間の距離の変更は可能である。
【０１２３】
また、発光モジュール１０は、筐体５０に直接的に取り付けられる必要はない。例えば、筐体５０に直接的または間接的に固定された基台または支柱等に発光モジュール１０が固定されてもよい。また、例えば、カバー８０に発光モジュール１０が固定されてもよい。
【０１２４】
また、第一筒体６０に備えられる小径部６１は、３以上の当接部を有してもよい。つまり、第二筒体６０は、３以上の当接部によって径方向に挟持されてもよい。
【０１２５】
また、発光モジュール１０が配置される第一筒体６０とカバー８０とは別体である必要はなく、例えば、樹脂の一体成形によって、カバー８０を一体に備える第一筒体６０が作製されてもよい。
【０１２６】
また、第一筒体６０の抜け止め部６４に、第二筒体７０の突出部７２以外の部分が当接することで、第二筒体７０が第一筒体６０から抜け出ることが防止されてもよい。つまり、突出部７２が、第二筒体７０の第一筒体６０からの抜け出し防止のための役割を担う必要はない。
【０１２７】
また、電球形ランプ１が備えるカバー８０および光学部材８１の形状および大きさに特に限定はなく、さらに、電球形ランプ１はカバー８０および光学部材８１を備えなくてもよい。
【０１２８】
また、上記の実施の形態において、発光素子１２は、ＳＭＤ型ＬＥＤ素子であるとしたが、これに限らない。例えば、ベアチップが基板上に直接実装されたＣＯＢ（Ｃｈｉｐ  Ｏｎ  Ｂｏａｒｄ）型の発光モジュールが、電球形ランプ１に採用されてもよい。
【０１２９】
この場合、例えば、複数のＬＥＤチップを一括または個別に封止する封止部材であって、上述の黄色蛍光体等の波長変換材を含む封止部材を配置することで、複数のＬＥＤチップからの光の波長を所定の波長に変換させてもよい。
【０１３０】
また、上記の実施の形態において、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を用いてもよい。
【０１３１】
その他、上記実施の形態および変形例に対して当業者が思いつく各種変形を施して得られる形態、または、本発明の趣旨を逸脱しない範囲で上記実施の形態および変形例における構成要素および機能を任意に組み合わせることで実現される形態も本発明に含まれる。
【符号の説明】
【０１３２】
１  電球形ランプ（照明用光源）
１０  発光モジュール
４０  駆動回路
５０  筐体
６０、１６０  第一筒体
６１、１６１  小径部
６２、６５、１６２  当接部
６２ａ、６２ｂ  嵌合部
６４  抜け止め部
７０、１７０  第二筒体
７１、１７１  大径部
７２、７２ａ、７５  突出部
９０  口金
【図１】
0006384788.tif 000002
【図２】
0006384788.tif 000003
【図３】
0006384788.tif 000004
【図４】
0006384788.tif 000005
【図５Ａ】
0006384788.tif 000006
【図５Ｂ】
0006384788.tif 000007
【図６】
0006384788.tif 000008
【図７】
0006384788.tif 000009
【図８】
0006384788.tif 000010
【図９Ａ】
0006384788.tif 000011
【図９Ｂ】
0006384788.tif 000012
【図１０】
0006384788.tif 000013
【図１１】
0006384788.tif 000014
【図１２】
0006384788.tif 000015